(57)【要約】【課題】体積の縮小化と湿潤化を図ることで、アスベストやダイオキシンなどの有害物質の飛散や放出を防止するようにした。【解決手段】アスベスト除去作業等によって発生したアスベスト廃棄物１を収納袋体２に入れ、収納袋体２の開口２ａを下方に向けて配置させ、開口２ａに注入管３を配するとともに、注入管３と収納袋体２の開口部２ｂとの間に収納袋体２の内部と外部とを連通する隙間Ｓを設けるようにして開口部２ｂを絞って開口２ａを縮小する。そして、注入管３を通して収納袋体２内に水蒸気Ｗを吹き込み、収納袋体２内の空気Ｇを水蒸気Ｗに置換し、収納袋体２内を水蒸気Ｗに置換させた後に開口２ａを密閉させ、収納袋体２の内部を真空状態とすることでアスベスト廃棄物１を圧縮させて減容化させるようにした。【選択図】図１
2008296195.tif 000002
【特許請求の範囲】
【請求項１】
廃棄物を収納袋体に入れる工程と、
前記収納袋体の開口を下方に向けて配置させる工程と、
前記開口に注入管を配するとともに、前記注入管と前記収納袋体の開口部との間に、前記収納袋体の内部と外部とを連通する隙間を設けるようにして前記開口を縮小する工程と、
前記注入管を通して前記収納袋体内に水蒸気を吹き込み、前記収納袋体内の空気を前記水蒸気に置換する工程と、
前記収納袋体内を前記水蒸気に置換させた後に、前記開口を密閉させる工程と、
を有することを特徴とする廃棄物の減容方法。
【発明の詳細な説明】
【技術分野】
【０００１】
本発明は、例えばアスベストやダイオキシン等の有害物質を含む構造物の解体作業等で発生した廃棄物の減容方法に関する。
【背景技術】
【０００２】
従来、住宅などの天井や壁の建築資材には、アスベスト（石綿）が多く使用されていたが、周知のとおりアスベストは非常に微細な繊維形状をなしており、それを人が吸引したときに人体に与える影響が大きく社会的問題となっている。また、近年では、ゴミ処理場の焼却炉などから発生するダイオキシンによる人体への影響が問題となっている現状がある。このような背景から、建築物のアスベスト除去作業や解体作業を行なう際や、ゴミ処理場で使用された焼却炉や煙突などを解体する際には、作業員は防護服等の保護具を着用するとともに、アスベストやダイオキシンを含む粉塵などが周囲に拡散しないように防護シートで作業エリアを隔離するといった対応がなされている。
【０００３】
このように、作業現場から発生したアスベストや一定濃度以上のダイオキシンを含む廃棄物は、特別管理産業廃棄物として取り扱われ、例えば専用の廃棄物処理袋などに収容させて所定の処分場所において廃棄処分されている。
とくに、アスベストを含む廃棄物の場合には、作業現場から処分場所への運搬時等、廃棄処分の過程においてもアスベスト廃棄物の飛散を防止する必要があった。そこで、アスベスト廃棄物を無害化させて処分場へ運搬する方法が、例えば特許文献１に開示されている。
【０００４】
特許文献１は、現場で発生したアスベスト廃棄物をコンクリートミキサー車に吸引して処分場所に運搬することで運搬時におけるアスベストの飛散を防止することができ、さらにコンクリートミキサー車に時間の経過により固化する液状材料を予め収納させておき、投入された廃棄物と液状材料とを混合しつつ、その混合物を処分場所に投棄して固化させる方法について記載されている。
【特許文献１】特開２００７−４４６７６号公報
【発明の開示】
【発明が解決しようとする課題】
【０００５】
しかしながら、従来の廃棄物の処分方法では以下のような問題があった。
すなわち、アスベストやダイオキシン等を含む廃棄物は、所定の廃棄場所が確保され、その場所に埋設されて処分されることから、処分費は廃棄物の体積に比例している現状がある。そして、建築物などから発生する廃棄物はかさ密度が小さく、重量に対して体積が大きい状態となっている。そこで、廃棄物の体積を小さくして処分費の低減を図るために、例えば廃棄物を専用の袋体に入れた状態で、内部の廃棄物をプレス機（圧縮装置）などを使用して圧縮して減容化させることが行なわれているが、機械的に圧縮するため、袋体内に収容されている廃棄物の状態（形状、塊の大きさ）や容量によっては圧縮作業中に袋体が破れてアスベストが飛散したりダイオキシンが大気中に放出されるという問題があった。
【０００６】
本発明は、上述する問題点に鑑みてなされたもので、体積の縮小化と湿潤化を図ることで、アスベストやダイオキシンなどの有害物質の飛散や放出を防止するようにした廃棄物の減容方法を提供することを目的とする。
【課題を解決するための手段】
【０００７】
上記目的を達成するため、本発明に係る廃棄物の減容方法では、廃棄物を収納袋体に入れる工程と、収納袋体の開口を下方に向けて配置させる工程と、開口に注入管を配するとともに、注入管と収納袋体の開口部との間に、収納袋体の内部と外部とを連通する隙間を設けるようにして開口を縮小する工程と、注入管を通して収納袋体内に水蒸気を吹き込み、収納袋体内の空気を水蒸気に置換する工程と、収納袋体内を水蒸気に置換させた後に、開口を密閉させる工程とを有することを特徴としている。
本発明では、開口を下方に向けた収納袋体内に水蒸気を吹き込むことで、水蒸気より重い分子量をなす酸素及び窒素を多く含む収納袋体内の空気が下降して開口に形成された隙間から収納袋体の外部に排出され、収納袋体内の空気が水蒸気に置換する。この置換過程において、水蒸気の一部が水になり、収納袋体内の廃棄物が湿潤化され、例えば廃棄物がアスベストやダイオキシン等の有害物質を含んでいる場合に、その有害物質が収納袋体内で飛散することを抑制することができ、前記空気の排出とともに有害物質が収納袋体の外部に放出されることを防ぐことができる。そして、収納袋体の開口を密閉した後に水蒸気温度が低下して水になると、収納袋体の内部は気体成分（水蒸気）がほぼ無くなった状態で真空状態となり、大気圧に対して負圧になる。そのため、収納袋体は外部の大気によって圧縮されることになり、収納袋体内の廃棄物も圧縮されて減容化されることになる。
【発明の効果】
【０００８】
本発明の廃棄物の減容方法によれば、収納袋体の内部を真空状態とし、収納袋体の外部の大気圧に対して負圧とすることで、収納袋体とともに廃棄物を圧縮させる方法であるため、圧縮装置を使用して機械的に圧縮する場合と比べて収納袋体が破裂するするといった不具合をなくすことができ、例えばアスベストやダイオキシン等の有害物質を含む廃棄物の場合に、その有害物質が収納袋体の外部に放出されることを防いで廃棄物を減容化させることができる。したがって、廃棄物の体積を小さくした状態で廃棄処分することができ、処分費の低減を図ることができる。
さらに、収納袋体内に吹き込んだ水蒸気の一部が水となり、収納袋体内の廃棄物を湿潤化させて廃棄物に含まれる有害物質が収納袋体内で飛散することを抑制することができ、置換中に収納袋体の内部から排出される空気とともに有害物質が収納袋体の外部に放出されることを防ぐことができる。
【発明を実施するための最良の形態】
【０００９】
以下、本発明の実施の形態による廃棄物の減容方法について、図１乃至図３に基づいて説明する。
図１は本発明の実施の形態によるアスベスト廃棄物の減容作業状態を示す図、図２は図１に示す収納袋体の開口付近を示すの拡大図、図３（ａ）、（ｂ）は置換後の減容作業工程を示す図である。
【００１０】
図１に示すように、本実施の形態による廃棄物の減容方法は、例えば建築物におけるアスベスト除去作業現場、或いは解体現場等から廃材として取り出されたアスベストを含む廃棄物（以下、アスベスト廃棄物１とする）を所定の廃棄処理場へ持ち込んで処分する際に採用される。そして、この減容方法による減容作業は、アスベスト廃棄物１の発生現場、或いは現場から廃棄処分場内に運搬した廃棄処分場で行なわれる。
【００１１】
本減容方法は、アスベスト廃棄物１を収納袋体２に入れ、収納袋体２の開口２ａを下方に向けて配置させ、開口２ａに注入管３（後述する）を配するとともに、注入管３と収納袋体２の開口部２ｂとの間に収納袋体２の内部と外部とを連通する隙間Ｓを設けるようにして開口部２ｂを絞って開口２ａを縮小する。そして、注入管３を通して収納袋体２内に水蒸気Ｗを吹き込み、収納袋体２内の空気Ｇを水蒸気Ｗに置換し、収納袋体２内を水蒸気Ｗに置換させた後に開口２ａを密閉させるようにした方法である。
なお、収納袋体２内の空気Ｇは、収納袋体２内でアスベスト廃棄物１を除いた空間に存在する空気（酸素Ｏ２、窒素Ｎ２など）と、アスベスト廃棄物１内部の空隙の空気とを含んだものとされる。
【００１２】
ここで、減容作業においては、作業現場から発生したアスベスト廃棄物１を収容するための収納袋体２と、収納袋体２の開口２ａに差し込まれた状態で配置される注入管３と、注入管３を介して収納袋体２内に１００℃以上の水蒸気Ｗを送り込むための水蒸気発生装置４と、収納袋体２の開口部２ｂを締め付けるための締付け部材５とが用いられる。
【００１３】
収納袋体２は、アスベスト廃棄用の袋であって、例えばビニール製、ポリエチレン製などの材料からなり、所定量のアスベスト廃棄物１を収容可能な容量のものが採用されている。
注入管３は、一端３ａが水蒸気発生装置４の吐出口４ａに接続され、他端３ｂが収納袋体２内となるように設けられている。
そして、水蒸気発生装置４として、ボイラーが使用される。また、締付け部材５として、例えば結束バンド等が用いられる。
【００１４】
次に、本実施の形態によるアスベスト廃棄物の減容方法、減容化手順について図面に基づいて説明する。
先ず、図１に示すように、作業現場で発生した所定量のアスベスト廃棄物１を収納袋体２内に入れ、収納袋体２の開口２ａが下向きとなるように配置する。そして、開口２ａに注入管３を差し込むとともに、締付け部材５を用いて収納袋体２内の空気Ｇが通過できる大きさの隙間Ｓをもたせて収納袋体２の開口部２ｂを絞って開口２ａを縮小しておく。このとき、収納袋体２の開口２ａは隙間Ｓがあるものの閉じた縮小された状態となっているので、収納袋体２内のアスベスト廃棄物１が開口２ａから流出されることを抑制することができる。
【００１５】
次いで、図２に示すように、水蒸気発生装置４（図１参照）を作動させて、発生した水蒸気Ｗを注入管３より収納袋体２内に吹き込む。そうすると、水蒸気（水Ｈ２Ｏ）の分子量１８に対して、収納袋体２内の空気Ｇのほぼ１００％（略９９％）を占める酸素Ｏ２と窒素Ｎ２の分子量がそれぞれ３２、２８であることから、収納袋体２に対して下から吹き上げられる分子量の軽い水蒸気Ｗは、収納袋体２内の上方から溜まっていくとともに、空気Ｇが下降し、流入した水蒸気Ｗと略同量の空気Ｇが隙間Ｓから大気中に排出される。すなわち、収納袋体２内の空気Ｇは水蒸気Ｗに置換されることになる。
【００１６】
なお、収納袋体２内に吹き込まれた水蒸気Ｗは、一部が液化して白い霧状の水となり、収納袋体２内のアスベスト廃棄物１を湿潤状態とし、アスベストの飛散を抑制することができ、置換中（収納袋体２の開口２ａに隙間Ｓが形成されている状態）において収納袋体２から外部に排出される空気Ｇとともに、アスベストが大気中（収納袋体２の外部）に放出されることを防ぐことができる。
【００１７】
続いて、図１及び図３（ａ）に示すように、収納袋体２内の空気Ｇが水蒸気Ｗに置換された後、水蒸気Ｗの収納袋体２内への吹き込みを停止させ、注入管３を収納袋体２から取り除くとともに、締付け部材５をさらに強固に締め付けて収納袋体２の開口２ａを密閉する。図３（ｂ）に示すように、その後、収納袋体２内では、１００℃以上の高温の水蒸気Ｗの温度が次第に低くなって水になる。このとき、収納袋体２の内部は、気体成分（水蒸気）がほぼ無くなった状態で真空状態となり、大気圧に対して負圧になる。そのため、収納袋体２は、大気Ｔによって圧縮されることになる。
【００１８】
そして、収納袋体２内のアスベスト廃棄物１は、かさ密度が小さく且つ重量に対して体積が大きい状態であることから、収納袋体２の圧縮と共に圧縮されて体積が小さくなって減容化されることになる。
なお、減容化されたアスベスト廃棄物１は、廃棄処分場にて埋設される等して処分される。
【００１９】
上述のように本実施の形態による廃棄物の減容方法では、収納袋体２の内部を真空状態とし、収納袋体２の外部の大気圧に対して負圧とすることで、収納袋体２とともにアスベスト廃棄物１を圧縮させる方法であるため、圧縮装置を使用して機械的に圧縮する場合と比べて収納袋体が破裂するするといった不具合をなくすことができ、アスベストが収納袋体２の外部に放出されることを防いでアスベスト廃棄物１を減容化させることができる。したがって、アスベスト廃棄物１の体積を小さくした状態で廃棄処分することができ、処分費の低減を図ることができる。
さらに、収納袋体２内に吹き込んだ水蒸気Ｗの一部が水となり、収納袋体２内のアスベスト廃棄物１を湿潤化させてアスベストが収納袋体２内で飛散することを抑制することができ、置換中に収納袋体２の内部から排出される空気Ｇとともにアスベストが収納袋体２の外部に放出されることを防ぐことができる。
【００２０】
以上、本発明による廃棄物の減容方法の実施の形態について説明したが、本発明は上記の実施の形態に限定されるものではなく、その趣旨を逸脱しない範囲で適宜変更可能である。
例えば、本実施の形態ではアスベストを含む廃棄物を減容方法の対象としているが、アスベスト廃棄物に限定されることはない。例えば、ゴミ処理場の焼却炉や煙突といった構造物の解体工事などで発生するダイオキシンを含む廃棄物（例えば解体作業に使用した養生シート等）なども本発明の減容方法の対象とされる。また、これらアスベストやダイオキシンを含む廃棄物以外の廃棄物であってもかまわない。
また、本実施の形態では水蒸気発生装置４としてボイラーを使用して水蒸気Ｗを発生させているが、これに限定されることはなく、他の水蒸気発生手段を使用してもかまわない。
また、水蒸気の温度は任意とされるが、低い温度だと、水蒸気Ｗを収納袋体２内に吹き込んだ直後（つまり収納袋体２の開口２ａが開いた状態）に気体から水に変わってしまうことになり、収納袋体２の開口２ａを密閉させて内部を真空状態とさせる作用がなくなるため、収納袋体２に吹き込んだ水蒸気Ｗの多くが密閉前に水に変化しないような水蒸気温度とすることが好ましいとされる。
【００２１】
また、収納袋体２の容量、収納袋体２内に収容するアスベスト廃棄物１の収容量は任意とされる。そして、本実施の形態によるアスベスト廃棄物１は、アスベストを含む廃材が対象とされ、コンクリートや壁材など他の材料が混合した廃棄物とされる。
さらに、本実施の形態では締付け部材５を結束バンドとしているが、これに限定されることはなく、例えば、紐や挟持可能なクリップ等の締付け手段であってもかまわない。要は、収納袋体２内に吹き込んだ水蒸気Ｗが漏れ出さないように密閉可能な手段であればよいのである。
さらにまた、本実施の形態では収納袋体２の開口部２ｂを絞って開口２ａを縮小させているが、これに限らず、収納袋体２の形状、構成によって適宜対応することができる。すなわち、例えば収納袋体２の開口２ａにファスナーのような密閉手段が設けられている場合には、注入管３と開口部２ｂとの間に上述したような所定の隙間Ｓを設けた状態でファスナーを閉めるようにすればよい。
【図面の簡単な説明】
【００２２】
【図１】本発明の実施の形態によるアスベスト廃棄物の減容作業状態を示す図である。
【図２】図１に示す収納袋体の開口付近を示すの拡大図である。
【図３】（ａ）、（ｂ）は置換後の減容作業工程を示す図である。
【符号の説明】
【００２３】
１  アスベスト廃棄物
２  収納袋体
２ａ  開口
２ｂ  開口部
３  注入管
４  水蒸気発生装置
５  締付け部材
Ｇ  収納袋体内の空気
Ｓ  隙間
Ｔ  大気
Ｗ  水蒸気
【図１】
2008296195.tif 000003
【図２】
2008296195.tif 000004
【図３】
2008296195.tif 000005